(57)【要約】【課題】  洗濯可能で、洗濯した際に乾燥が容易な枕を提供すること。【解決手段】  直方体状に形成された枕本体２の相対向する一方の両端部に円弧状の曲面３，４を形成し、前記一方の両端部に、他方の両端部間に貫通する複数個の穴６，７を設け、該複数個の穴６，７にそれぞれ外周壁に外部から内部に貫通する多数の孔１２が設けられている送風筒体をそれぞれ挿着して構成する。【選択図】  図  １
2006149569.tif 000002
【特許請求の範囲】
【請求項１】
直方体状に形成された枕本体の相対向する一方の両端部に円弧状の曲面を形成し、前記一方の両端部に、他方の両端部間に貫通する複数個の穴を設け、該複数個の穴にそれぞれ外周壁に外部から内部に貫通する多数の孔が設けられている送風筒体をそれぞれ挿着可能に構成したことを特徴とする枕。
【請求項２】
直方体状に形成された枕本体の相対向する一方の両端部に円弧状の曲面を形成し、前記一方の両端部に、他方の両端部間に貫通する複数個の穴を設け、該複数個の穴にそれぞれ外周壁に外部から内部に貫通する多数の孔が設けられている送風筒体をそれぞれ挿着して構成することを特徴とする枕。
【請求項３】
前記枕本体をウレタン材で構成したものである請求項１又は２に記載の枕。
【請求項４】
前記送風筒体を可撓性を有する材料で構成したものである請求項１、２又は３に記載の枕。
【発明の詳細な説明】
【技術分野】
【０００１】
本発明は、枕に係り、乾燥性、通気性の良い枕に関する。
【背景技術】
【０００２】
従来、外被円筒袋１の内部に中袋２を設け、その中袋にクッション材３を入れた枕が提案されている（例えば、特許文献１参照。）。また、整形装置２を内蔵する気嚢１の上下両側にそば殻を入れた枕３が提案されている（例えば、特許文献２参照。）。
【０００３】
この特許文献１、特許文献２に示されるように、一般家庭で使われる枕には、頭の座りが良く、寝心地の良い材質が求められており、枕の内部材としてクッション材として低反発ウレタン、または、通気性がよいということでそば殻等が使用されている。
【特許文献１】実開昭４９−５９８１３号公報（第１頁  第１図、第２図）
【特許文献２】実開昭４８−３３６１６号公報（第１頁  第１図）
【発明の開示】
【発明が解決しようとする課題】
【０００４】
しかし、特許文献１に記載される枕と、特許文献２に記載される枕の何れも、洗濯することを想定していない。このため、材料の特性から特許文献１、特許文献２の枕の洗濯は、困難で、一般的には定期的に天日に干すのが精々である。仮に、特許文献１の枕と、特許文献２の枕を洗濯（丸洗い）した場合、特許文献１の枕と、特許文献２の枕の材料の特性から乾燥が極めて難しい。仮に特許文献１の枕と、特許文献２の枕を洗濯（丸洗い）して実際に乾燥しようとすると、自然乾燥はもとより、温風等による強制乾燥によっても長時間を要するという問題を有している。
【０００５】
本発明の目的は、洗濯可能で、洗濯した際に乾燥が容易な枕を提供することにある。
【課題を解決するための手段】
【０００６】
請求項１に記載の枕は、直方体状に形成された枕本体の相対向する一方の両端部に円弧状の曲面を形成し、前記一方の両端部に、他方の両端部間に貫通する複数個の穴を設け、該複数個の穴にそれぞれ外周壁に外部から内部に貫通する多数の孔が設けられている送風筒体をそれぞれ挿着可能に構成したものである。
【０００７】
請求項２に記載の枕は、直方体状に形成された枕本体の相対向する一方の両端部に円弧状の曲面を形成し、前記一方の両端部に、他方の両端部間に貫通する複数個の穴を設け、該複数個の穴にそれぞれ外周壁に外部から内部に貫通する多数の孔が設けられている送風筒体をそれぞれ挿着して構成したものである。
【０００８】
請求項３に記載の枕は、前記枕本体をウレタン材で構成したものである。
【０００９】
請求項４に記載の枕は、前記送風筒体に可撓性を持たせたものである。
【発明の効果】
【００１０】
請求項１に記載の発明によれば、洗濯可能で、洗濯した際に乾燥が容易な枕を提供することができる。
【００１１】
請求項２に記載の発明によれば、洗濯可能で、洗濯した際に乾燥が容易な枕を提供することができる。
【００１２】
請求項３に記載の発明によれば、洗濯可能で、洗濯した際に乾燥が容易な枕を提供することができる。
【００１３】
請求項４に記載の発明によれば、洗濯可能で、洗濯した際に乾燥が容易な枕を提供することができる。
【発明を実施するための最良の形態】
【００１４】
本発明は、ウレタン材を用いた直方体状に形成された枕本体の相対向する一方の両端部に円弧状の曲面を形成し、前記一方の両端部に、他方の両端部間に貫通する複数個の穴を設け、該複数個の穴にそれぞれ外周壁に外部から内部に貫通する多数の孔が設けられている送風筒体をそれぞれ挿着することによって実現される。
【実施例１】
【００１５】
以下、本発明に係る乾燥性、通気性の良い枕の実施例について、詳細に説明する。
【００１６】
図１〜図３には、本発明に係る枕の第１実施例が示されている。
【００１７】
図１において、１は枕で、この枕１は、直方体状に形成された枕本体２を有している。この枕本体２の相対向する一方の両端部には、円弧状の曲面３，４が形成されている。この曲面３，４が形成された両端部を挟んで、中央には、曲面３から曲面４にかけてなだらかな凹面状に形成されたくぼみ５が設けられている。すなわち、この枕本体２は、他方の両端部から見ると、左右が膨らみ、中央が凹んだメガネ状に形成されている。したがって、枕１に頭を載せた場合、このくぼみ５に頭の後頭部がくるようになっている。
【００１８】
この枕１の一方の両端部には、他方の両端部間に貫通する穴６，７が設けられている。この穴６には送風筒体８が、穴７には送風筒体９がそれぞれ挿着されている。この枕本体２は、ウレタン材によって構成されている。
【００１９】
この送風筒体８，９は、図２に示す如く、筒体１０と、この筒体１０の一方の端部を封止する蓋体１１によって構成されている。この筒体１０には、外周壁に外部から内部に貫通する多数の孔１２が設けられている。この蓋体１１は、筒体１０に一端開口部から送風した場合に、筒体１０の内部に送り込まれた空気が、筒体１０の多端開口部から排出されることなく、筒体１０の多数の孔１２から筒体１０の外部に排出されるようにするためのものである。
【００２０】
また、この蓋体１１は、筒体１０の他端の開口部に、筒体１０の内部に送り込まれた空気圧に耐えられるように、例えば、螺子込み等で取り付けられている。さらに、この筒体１０に設けられた多数の孔１２は、筒体１０の一端開口部から送り込まれた空気を筒体１０の多端開口部から排出されることなく、枕本体２内部に送風されるようにするためのものである。また、この蓋体１１は、筒体１０と一体に構成されていてもよい。
【００２１】
この送風筒体８，９の筒体１０は、本実施例においては、円筒状に形成されている。しかし、この筒体１０は、必ずしも円筒状である必要はなく、筒状であれば多角筒体でも良い。本実施例において、送風筒体８，９の筒体１０を円筒状に形成したのは、筒体１０の一端開口部から送り込まれた空気を枕本体２内にくまなく送風するのに最適だからである。
【００２２】
このように、本願発明の第１実施例に係る乾燥性、通気性の良い枕１は、直方体状に形成された枕本体２の相対向する一方の両端部に円弧状の曲面３，４を形成し、前記一方の両端部に、他方の両端部間に貫通する複数個の穴６，７を設け、該複数個の穴６，７にそれぞれ外周壁に外部から内部に貫通する多数の孔１２が設けられている送風筒体８，９をそれぞれ挿着して構成してある。この本願発明の第１実施例に係る乾燥性、通気性の良い枕１において、一方の両端部に形成される円弧状の曲面３，４を挟んで、中央近傍に凹面状のくぼみ５を設けて構成してもよい。すなわち、乾燥性、通気性の良い枕１は、直方体状に形成された枕本体２の相対向する一方の両端部に円弧状の曲面３，４を形成し、この曲面３，４の形成された両端部を挟んで、中央近傍に凹面状のくぼみ５を設け、前記一方の両端部に、他方の両端部間に貫通する複数個の穴６，７を設け、該複数個の穴６，７にそれぞれ外周壁に外部から内部に貫通する多数の孔１２が設けられている送風筒体８，９をそれぞれ挿着して構成することができる。
【００２３】
このように構成される枕１は、丸ごと洗濯できるようになっている。すなわち、枕１を洗濯する場合は、まず、送風筒体８，９の筒体１０の他端開口部に取り付けられている蓋体１１を取り外し、または、送風筒体８，９の筒体１０の他端開口部に蓋体１１が取り付けられた状態のまま、電気洗濯機等で丸洗いする。しかる後、脱水して、乾燥する。この枕１を乾燥するに当たっては、図３に示す如く、外部から強制的に温風Ａを吹き付け、外部から乾燥する。この外部からの強制温風Ａの吹き付けと共に、送風筒体８，９の筒体１０の一端開口部から送風筒体８，９内へ温風Ｂ、Ｃを強制的に吹込む。
【００２４】
このように送風筒体８，９の筒体１０の一端開口部から強制的に吹込まれた温風は、送風筒体８，９の筒体１０に設けられた多数の孔１２から排出される。この孔１２からは、送風筒体８，９の筒体１０の一端開口部から送り込まれた温風を枕本体２内部に送り込む。このようにして、枕本体２の内部からと外部からの直接乾燥を行い、乾燥時間の短縮を図ることができる。
【実施例２】
【００２５】
図４〜図６には、本発明に係る枕の第２実施例が示されている。
【００２６】
図４において、２０は枕で、この枕２０は、直方体状に形成された枕本体２１を有している。この枕本体２１の相対向する一方の両端部には、円弧状の曲面２２，２３が形成されている。この曲面２２，２３が形成された両端部を挟んで、中央には、曲面２２から曲面２３にかけてなだらかな凹面状に形成されたくぼみ２４が設けられている。すなわち、この枕本体２１は、他方の両端部から見ると、左右が膨らみ、中央が凹んだメガネ状に形成されている。したがって、枕２０に頭を載せた場合、このくぼみ２４に頭の後頭部がくるようになっている。
【００２７】
この枕２０の一方の両端部には、他方の両端部間に貫通する穴２５，２６が設けられている。この枕本体２１は、ウレタン材によって構成されている。したがって、この枕２０の穴２５，２６は、通常の使用時、潰れた状態で使用される。
【００２８】
このように構成される枕２０は、丸ごと洗濯できるようになっている。すなわち、枕２０を洗濯する場合は、このままの状態で、電気洗濯機等で丸洗いする。しかる後、枕２０を脱水機で脱水して、乾燥する。この枕２０を乾燥するに当たっては、枕２０の穴２５，２６に装着する図５に示す如き送風筒体２７を用いる。
【００２９】
この送風筒体２７は、筒体２８と、この筒体２８を有しており、この筒体２８の一端は、封止されている。この筒体２８には、外周壁に外部から内部に貫通する多数の孔２９が設けられている。この筒体２８の一端が封止されているのは、筒体２８の開口部から送風した場合に、筒体２８の内部に送り込まれた空気が、筒体２８の多数の孔２９から筒体２８の外部に排出されるようにするためのものである。
【００３０】
このように、本願発明の第２実施例に係る乾燥性、通気性の良い枕２０は、直方体状に形成された枕本体２１の相対向する一方の両端部に円弧状の曲面２２，２３を形成し、前記一方の両端部に、他方の両端部間に貫通する複数個の穴２５，２６を設け、該複数個の穴２５，２６にそれぞれ外周壁に外部から内部に貫通する多数の孔２９が設けられている送風筒体２７をそれぞれ挿着可能に構成したものである。この本願発明の第２実施例に係る乾燥性、通気性の良い枕２０において、一方の両端部に形成される円弧状の曲面２２，２３を挟んで、中央近傍に凹面状のくぼみを設けて構成してもよい。
【００３１】
この送風筒体２７は、枕２０に設けられている穴２５と、穴２６のそれぞれに装着する。そして、図６に示す如く、外部から強制的に温風Ａを吹き付け、外部から乾燥する。この外部からの強制温風Ａの吹き付けと共に、それぞれの送風筒体２７の開口部からそれぞれの送風筒体２７内へ温風Ｂ、Ｃを強制的に吹込む。
【００３２】
このように送風筒体２７の開口部から強制的に吹込まれた温風Ｂ、Ｃは、送風筒体２７に設けられた多数の孔２９から排出される。この孔２９からは、送風筒体２７の開口部から送り込まれた温風Ｂ、Ｃを枕本体２１内部に送り込む。このようにして、枕本体２１の内部からと外部からの直接乾燥を行い、乾燥時間の短縮を図ることができる。
【産業上の利用可能性】
【００３３】
本発明によって従来洗濯業界で行えなかった洗濯品目の拡大を図ることができる。
【００３４】
また、本発明における送風筒体は、枕を乾燥するときだけでなく、使用時においても、送風筒体の空洞部分に間欠的に適温送風することにより快適な安眠を提供することができる。
【００３５】
さらに、図７に示す如く、従来の家庭用として用いられる布団乾燥機３０にアタッチメント３１を付けて、枕４０（１，２０）の送風筒体に接続することにより、家庭内でも洗濯し、乾燥させることができる。
【００３６】
また、枕４０（１，２０）の材質としては、ウレタン材に限らず、温熱によって劣化することのない可撓性のある材質の材料を使用することもできる。
【図面の簡単な説明】
【００３７】
【図１】本発明に係る枕の第１実施例を示す全体構成図。
【図２】図１に図示の枕の穴に挿着された送風筒体の全体構成図。
【図３】図１に図示の枕を洗濯した後の乾燥の方法を説明するための図。
【図４】本発明に係る枕の第２実施例を示す全体構成図。
【図５】図４に図示の枕の乾燥の際に穴に挿着する送風筒体の全体構成図。
【図６】図４に図示の枕を洗濯した後の乾燥の方法を説明するための図。
【図７】本発明に係る枕の乾燥を行う他の手段を示す図。
【符号の説明】
【００３８】
１，２０…………………………枕
２，２１…………………………枕本体
３，４，２２，２３……………曲面
５，２４…………………………くぼみ
６，７，２５，２６……………穴
８，９，２７……………………送風筒体
１０，２８………………………筒体
１１………………………………蓋体
１２，２９………………………孔
【図１】
2006149569.tif 000003
【図２】
2006149569.tif 000004
【図３】
2006149569.tif 000005
【図４】
2006149569.tif 000006
【図５】
2006149569.tif 000007
【図６】
2006149569.tif 000008
【図７】
2006149569.tif 000009